(57)【要約】      （修正有）【課題】魚釣用リールに係り、糸長計測に伴うデータ入力を簡素化した魚釣用リールを提供する。【解決手段】スプールの回転数と回転方向を検出する回転検出手段と、糸長を演算する糸長計算式、並びに釣糸の最大糸巻径以下に設定された規定巻径レベルまで釣糸を巻回した時のスプール回転数を糸種別に予め記憶すると共に、スプールへの釣糸の巻始めから巻糸全長までのスプール総回転数を取り込む記憶手段と、リール本体に装着され、記憶手段に記憶された糸種に関わる規定巻径レベルまでのスプール回転数を選択する操作手段と、当該操作手段で決定されたスプール回転数と巻糸全長までのスプール総回転数とで決定される前記糸長計算式に基づき、回転検出手段で検出される実釣時のスプールの実回転数から糸長を演算する演算手段と、演算手段で演算された糸長を表示する表示器とを備えたことを特徴とする。【選択図】なし【特許請求の範囲】
【請求項１】
リール本体に回転可能に支持されたスプールと、
当該スプールの回転数と回転方向を検出する回転検出手段と、
糸長を演算する糸長計算式、並びに釣糸の最大糸巻径以下に設定された規定巻径レベルまで釣糸を巻回した時のスプール回転数を糸種別に予め記憶すると共に、スプールへの釣糸の巻始めから巻糸全長までのスプール総回転数を取り込む記憶手段と、
リール本体に装着され、記憶手段に記憶された糸種に関わる規定巻径レベルまでのスプール回転数を選択する操作手段と、
当該操作手段で決定されたスプール回転数と巻糸全長までのスプール総回転数とで決定される前記糸長計算式に基づき、回転検出手段で検出される実釣時のスプールの実回転数から糸長を演算する演算手段と、
当該演算手段で演算された糸長を表示する表示器と、
を備えたことを特徴とする魚釣用リール。                                                                                
【発明の詳細な説明】
【技術分野】
【０００１】
本発明は、スプールの回転数から釣糸の繰出し量や巻取り量を計測する糸長計測装置を備えた魚釣用リールに関する。
【背景技術】
【０００２】
釣糸の繰出し量や巻取り量を計測して正確な棚取りが行えるように、従来、多くの魚釣用リールには糸長計測装置が備えられており、昨今では、スプールフリー性能向上の面から、スプールに巻回される釣糸の外周面（釣糸巻回面）にローラ型糸長計測器を接触させる方法に代え、スプールの回転数から釣糸の繰出し量や巻取り量を計測する方法が主流となっている。
【０００３】
そして、このような糸長計測装置として、特許文献１に開示されたものが知られている。
この糸長計測装置は、スプールにその釣糸最大糸巻径以下に規定巻径レベルを設定し、当該規定巻径レベルまで釣糸が巻き取られた際のスプールの回転数と、スプールへの釣糸の巻始めから巻糸全長までのスプールの総回転数とをアップ・ダウンカウンタで計数して、これらの計数値を基に糸長計算式の定数を決定した後、釣糸の繰出し，巻取りで回転するスプールの実回転数を基に糸長計算式で糸長を演算，計測して、これを表示器に表示するものである。
【０００４】
而して、この糸長計測装置によれば、糸種（釣糸の糸径，材質）や長さに関係なく、繰出し量や巻取り量を高精度に計測することが可能となった。
しかし、規定巻径レベルまでのスプールの回転数や巻糸全長に対応するスプールの総回転数は、糸種に応じて異なるため、特許文献１の糸長計測装置では、糸種を変更する度に、規定巻径レベルと巻糸全長まで実際に釣糸をスプールに巻回して、夫々のスプールの回転数や総回転数を再度データ入力しなければならず、非常に手間がかかると共に、規定巻径を認識する部材も必要となる等の不具合が指摘されていた。
【０００５】
一方、特許文献２には、上述した糸長計算式を用いて糸長を演算，計測するに当たり、糸種に応じた規定巻径レベルまでのスプール回転数と巻糸全長までの総回転数を予めマップ化した表を別途用意し、糸種を変更する度に、この表を基に、操作パネル上のキーの操作でこれらの回転数を入力して糸長計測を実行可能とした糸長計測装置が開示されている。
【特許文献１】特許第２５８００８７号公報
【特許文献２】特許第２６０１５６２号公報
【発明の開示】
【発明が解決しようとする課題】
【０００６】
しかし乍ら、この特許文献２の従来例にあっては、表に基づき、操作パネル上のキーを操作して規定巻径レベルまでのスプール回転数と巻糸全長までのスプールの総回転数の回転数（数値）を入力しなければならないため、操作が煩雑で面倒であると共に、入力の際に表の携帯が必要となり、表の携帯を忘れてしまうと正確なデータ入力が行えない不具合も指摘されていた。
【０００７】
本発明は斯かる実情に鑑み案出されたもので、上述した糸長計算式による糸長計測方法に改良を加え、糸長計測に伴うデータ入力を簡素化した魚釣用リールを提供することを目的とする。
【課題を解決するための手段】
【０００８】
斯かる目的を達成するため、請求項１に係る魚釣用リールは、リール本体に回転可能に支持されたスプールと、当該スプールの回転数と回転方向を検出する回転検出手段と、糸長を演算する糸長計算式、並びに釣糸の最大糸巻径以下に設定された規定巻径レベルまで釣糸を巻回した時のスプール回転数を糸種別に予め記憶すると共に、スプールへの釣糸の巻始めから巻糸全長までのスプール総回転数を取り込む記憶手段と、リール本体に装着され、記憶手段に記憶された糸種に関わる規定巻径レベルまでのスプール回転数を選択する操作手段と、当該操作手段で決定されたスプール回転数と巻糸全長までのスプール総回転数とで決定される前記糸長計算式に基づき、回転検出手段で検出される実釣時のスプールの実回転数から糸長を演算する演算手段と、当該演算手段で演算された糸長を表示する表示器とを備えたことを特徴とする。
【発明の効果】
【０００９】
請求項１に係る発明によれば、操作手段によって使用する釣糸の糸種の選択を行った後、スプールに釣糸を全て巻き取った時のスプール総回転数の入力操作を行うだけで、糸長計測に伴う糸長計算式の基礎データ入力が簡単に行うことができ、従来に比し入力操作が簡素化できる利点を有する。
また、規定巻径レベルを自動で認識する部材も不要となり、安価に構成することも可能となる。
【発明を実施するための最良の形態】
【００１０】
以下、本発明の実施形態を図面に基づいて詳細に説明する。
図１は請求項１の一実施形態に係る魚釣用リールを示し、図中、１はフレーム、３，５は当該フレーム１の左右に取り付く側板で、フレーム１と両側板３，５とによって魚釣用リール７のリール本体９が形成されている。そして、両側板３，５間に軸受を介してスプール軸が支持され、当該スプール軸にスプール１１が回転可能に支持されている。
【００１１】
スプール１１は、スプール駆動モータ（図２中、符号１３）の駆動やハンドル１５の巻取り操作で回転して釣糸が巻回されるようになっており、スプール駆動モータ１３はスプール１１前方のフレーム１に一体成形されたモータケース内に収納されている。
そして、ハンドル１５側の側板７の上部前方には、特許第２９７７９７８号公報で開示された魚釣用電動リールと同様、スプール駆動モータ１３のモータ出力を調節するレバー形状のモータ出力調節体（以下、「パワーレバー」という）１７がハンドル１５と同方向へ回転操作可能に取り付けられており、当該パワーレバー（操作手段）１７の操作で、制御ボックス１９内に装着した図２のマイクロコンピュータ２１が、モータ駆動回路２３を介してスプール駆動モータ１３のモータ出力をモータ停止状態から高出力値まで連続的に増減して、スプール１１の巻取り速度を制御するようになっている。
【００１２】
また、図１に示すようにスプール１１後方の側板３，５間には、側板５内に装着したクラッチ機構を操作するクラッチレバー２５が下方向へ押圧操作可能に取り付けられており、当該クラッチレバー２５の押圧操作で、クラッチ機構がクラッチＯＮからクラッチＯＦＦに切り換わるようになっている。
そして、このクラッチＯＦＦ状態でハンドル１５を巻取り方向へ回転させると、周知の復帰機構を介してクラッチ機構がクラッチＯＮに復帰するように構成されており、このクラッチ機構のクラッチＯＮ／ＯＦＦの切換えでスプール１１が巻取り可能状態とスプールフリー状態とに切り換わって、スプール１１へのスプール駆動モータ１３やハンドル１５の動力が伝達／遮断されるようになっている。
【００１３】
また、図１中、２７はスプール１１の回転数とその回転方向を検出する回転検出手段で、当該回転検出手段２７は、フレーム１に装着された一対のホール素子２９と、これらに対向してスプール１１の一端側に固着されたマグネット３１とで構成されており、図２に示すようにホール素子２９はマイクロコンピュータ２１の入力インターフェース３３に接続されている。そして、マイクロコンピュータ２１は、ホール素子２９から出力される回転パルス信号をＣＰＵ３５（演算手段）に取り込むことで、内蔵のアップ・ダウンカウンタ３７をアップカウントまたはダウンカウント状態にセットして、取り込まれるスプール１１の回転パルス信号をカウントするようになっている。
【００１４】
そして、ＣＰＵ３５は、斯かる計数値を基に、以下に記述する糸長計測プログラムで釣糸３９の糸長（繰出し量や巻取り量）を演算して、その演算結果を、制御ボックス１９の操作パネル４１上に設けた表示器４３に表示駆動回路４５を介して表示させるようになっている。
図１に示すように制御ボックス１９は、リール本体９の上部に水密性を以って取り付けられている。そして、その上面の操作パネル４１上に、前記表示器４３に隣接してリセットスイッチ（操作手段）４５，モード切換えスイッチ（操作手段）４７，選択入力スイッチ（操作手段）４９が設けられており、図２に示すようにこれらはマイクロコンピュータ２１に接続されている。
【００１５】
而して、図２は糸長計測装置の構成図を示し、マイクロコンピュータ２１は、プログラムメモリ，データメモリ及び入出力装置を制御管理して、与えられたジョブを処理すべく必要な演算，転送処理を実行するＣＰＵ３５と、演算処理プログラムと後述する糸長計算式[1]〜[3]を格納したＲＯＭ（記憶手段）５１と、ＣＰＵ３５での演算結果等のデータを記憶するＲＡＭ（記憶手段）５３と、入力インターフェース３３及び出力インターフェース５５を備え、これらはバス５７を介してＣＰＵ３５に接続されている。
【００１６】
そして、既述したように入力インターフェース３３に、パワーレバー１７やホール素子２９，リセットスイッチ４５，モード切換えスイッチ４７，選択入力スイッチ４９等が接続されている。また、出力インターフェース５５に、モータ駆動回路２３や表示駆動回路４５を介してスプール駆動モータ１３や表示器４３等が接続されている。
而して、特許文献１の従来例では、図３に示すようにスプールａの回転数と、このスプールａに巻かれた釣糸ｂの糸巻径及び糸長の関係が設定されており、図中、
Ｄ：釣糸ｂが規定巻径レベルｃまで巻き取られた際の糸巻径（ｍｍ）
Ｄｏ：スプールａの底径（ｍｍ）
Ｄ１：釣糸ｂが最後まで巻き取られた際の巻糸全長径（ｍｍ）
Ｈ：底径から規定巻径レベルｃまでの高さ（ｍｍ）
を示している。
【００１７】
そして、この従来例では、先ず、釣人が釣糸ｂを規定巻径レベルｃまで巻回して、回転検出手段で検出した巻径レベルｃまでのスプールａの回転数ＮをＣＰＵに入力操作し、次に、釣糸ｂをスプールａに最後まで巻回して、回転検出手段で検出された巻糸全長径Ｄ１までのスプールａの総回転数Ｎｅを入力操作すると、ＣＰＵは、マイクロコンピュータのＲＯＭに格納された糸長計算式
Ｌ＝ｄＮａ2 ＋ｅＮａ・・・[1]
Ｌ：糸長（ｍｍ）
Ｎａ：実釣時のスプールａの実回転数
ｄ＝−πＨ／Ｎ：定数  ・・・[2]
ｅ＝π（Ｄｏ＋２ＨＮｅ／Ｎ）：定数  ・・・[3]
Ｎｅ：巻糸全長に対するスプールａの総回転数
Ｎ：規定巻径レベルｃまで釣糸ｂを巻回したときのスプールａの回転数
の定数ｄ，ｅを糸長計算式[2]，[3]で決定し、以後、回転検出手段で検出する実釣時のスプールａの実回転数Ｎａから、糸長Ｌを糸長計算式[1]で演算，計測するものである。
【００１８】
しかし、既述したようにこの従来例は、糸種を変更する度に、釣人が規定巻径レベルと巻糸全長まで実際に釣糸をスプールに巻回して、夫々のスプールの回転数や総回転数を再度データ入力しなければならず、非常に手間がかかる煩わしさがあった。
また、引用文献２の従来例では、糸種に応じた規定巻径レベルまでのスプール回転数と巻糸全長までの総回転数が表に予めマップ化されていたが、糸種を変更する度に、この表を基にキー操作でこれらの回転数を入力しなければならないため、操作が煩雑で面倒であると共に、入力の際に表の携帯が必要となり、表の携帯を忘れてしまうと正確なデータ入力が行えない不具合があった。
【００１９】
そこで、本実施形態は斯かる実情に鑑み、図２に示すように釣糸３９の最大糸巻径以下に規定巻径レベル５９を設定し、ＲＯＭ５１に、例えば、
６号のナイロン糸
下巻きなし（Ｈ＝１５．０、Ｄｏ＝２０．０）   Ｎ＝３０００
下巻きあり（Ｈ１＝８．０、Ｄｓ＝３０．０）   Ｎ１＝１２００
の如く、
[1] 下巻きなしの場合に、底径（Ｄｏ）から規定巻径レベル５９まで釣糸３９を巻回した時のスプール回転数（Ｎ）と、
[2] 底径（Ｄｓ）まで下巻きをした場合に、底径（Ｄｓ）から規定巻径レベル５９まで釣糸３９を巻回した時のスプール回転数（Ｎ１）が、
[3] 巻く糸の糸種（種類：ナイロン糸「Ｌ」と単色糸「ＰＥ」、号数：４号，６号，８号）に応じて、予め工場出荷段階で設定，記憶されている。
【００２０】
また、ＲＯＭ５１には、既述した糸長計算式[1]〜[3]が設定，記憶されている。
そして、図４に示すようにＣＰＵ３５は、モード切換えスイッチ４７の押圧操作で、「実釣モード」，「糸種選択モード」，「総回転数入力モード」に順次切り換わるように構成されており、「実釣モード」に於て、マイクロコンピュータ２１は、ホール素子２９から取り込むスプール１１の回転パルス信号をカウントし、この計数値を基に糸長計算式[1]を演算実行して糸長を表示器４３に表示させるが、斯かる糸長計測の前提として、本実施形態に於ても、糸長計算式[2]，[3]から糸長計算式[1]の定数ｄ，ｅを決定する必要がある。
【００２１】
そこで、本実施形態は、「糸種選択モード」に切り換わると、図５に示すようにＣＰＵ３５は、
・表示器４３の下巻き表示部６１に「通常（下巻きなし）」と「下巻き（下巻きあり）」を上下二段に表示させ、
・種類表示部６３にナイロン糸の「Ｌ」を表示させ、
・号数表示部６５に号数「６」を表示させると共に、
・下巻き表示部６１のカーソル６７を点滅させるようになっている。
【００２２】
而して、斯かる表示状態で、釣人がパワーレバー１７を前後方法に操作すると、カーソル６７が「通常」と「下巻き」とに交互に切り換わるようになっており、例えばカーソル６７を「通常」に移動させて選択入力スイッチ４９を短く押圧操作すると、「通常」が選択，決定されて、次に種類表示部６３の「Ｌ」が点滅するようになっている。
そして、この状態で釣人がパワーレバー１７を操作すると、種類表示部６３の表示が「Ｌ」と「ＰＥ」とに交互に切り換わるようになっており、「Ｌ」が点滅している状態で選択入力スイッチ４９を短く押圧操作すると、図５に示すように種類表示部６３に「Ｌ」が表示されて、使用するナイロン糸が選択，決定され、また、「ＰＥ」が点滅している状態で選択入力スイッチ４９を短く押圧操作すると、図６に示すように種類表示部６３に「ＰＥ」が表示されて、使用する単色糸が選択，決定されるようになっている。
【００２３】
而して、斯様に釣糸の種類が決定されると、次に号数表示部６５の号数「６」が点滅するようになっており、この状態で釣人がパワーレバー１７を操作すると、号数表示部６５の表示が「６」→「８」→「４」と交互に切り換わるようになっており、例えば「６」が点滅している状態で選択入力スイッチ４９を短く押圧操作すると、図５に示すように号数表示部６５に「６」が表示されて、使用する釣糸の号数が選択，決定されるようになっている。
【００２４】
尚、これらの選択，決定に於て、リセットする場合にはリセットスイッチ４５を操作すればよい。
そして、上述の操作を終えてモード切換えスイッチ４７が操作されると、ＣＰＵ３５は、「総回転数入力モード」に移行すると共に、ＲＯＭ５１に記憶させた基礎データから、
「下巻きなしで、ナイロン糸６号を底径（Ｄｏ）から規定巻径レベル５９まで巻回した時のスプール回転数（Ｎ）」と「Ｈ＝１５．０、Ｄｏ＝２０．０」を糸長計算式[2]に取り込んで、糸長計算式[1]の定数ｄを決定する。
【００２５】
この後、「総回転数入力モード」で、釣人が釣糸３９を総て巻き取って選択入力スイッチ４９を操作すると、ＣＰＵ３５は、回転検出手段２７で検出された総回転数Ｎｅを糸長計算式[3]に取り込んで糸長計算式[1]の定数ｅを決定した後、決定した糸長計算式[1]をＲＡＭ５３に記憶させるようになっている。
そして、斯様に決定した糸長計算式[1]をＲＡＭ５３に取り込むと、ＣＰＵ３５は自動的に「実釣モード」に移行し、以後、「実釣モード」に於て、回転検出手段２７で検出する実釣時のスプール１１の実回転数Ｎａから糸長計算式[1]を演算実行して、糸長を表示器４３に表示させるようになっている。
【００２６】
尚、下糸をスプール１１に下巻きをする場合には、図示しないゲージやローラをリール本体９に装着して、予め設定，記憶させた所定の底径（Ｄｓ）になるまで下糸を巻いた後、上述の如き手順で同様にデータ入力すればよい。
また、上述したように本実施形態では、「下巻きあり」の場合の底径（Ｄｓ）を予めＲＯＭ５１に一つ設定，記憶させて、「糸種選択モード」で「下巻き」を選択すると、図２に示す底径（Ｄｓ）から規定巻径レベル５９まで釣糸３９を巻回した時のスプール回転数（Ｎ１）と、「Ｈ１」，「Ｄｓ」が糸長計算式[2]，[3]に取り込まれるように構成したが、例えば「下巻きあり」の場合の複数の底径（Ｄｓ１），（Ｄｓ２），（Ｄｓ３）と、これらに応じた規定巻径レベル５９までのスプール回転数（Ｎ２），（Ｎ３），（Ｎ４）を予めＲＯＭ５１に設定，記憶させると共に、リール本体に複数の底径（Ｄｓ１），（Ｄｓ２），（Ｄｓ３）の選択，指定手段を設けておき、「下巻きあり」の場合に、この選択，指定手段の選択，指定に応じて、底径（Ｄｓ１），（Ｄｓ２），（Ｄｓ３）のいずれかと、これに応じたスプール回転数（Ｎ２），（Ｎ３），（Ｎ４）のいずれかが糸長計算式に取り込まれるように構成してもよい。
【００２７】
本実施形態に係る魚釣用リール７はこのように構成されているから、例えば、下巻きなしで釣糸３９に６号のナイロン糸を用いて釣りを行う場合、上述した「糸種選択モード」での手順を踏むことで、規定巻径レベル５９までのスプールの回転数（Ｎ）が自動的に糸長計算式[2]に取り込まれて、糸長計算式[1]の定数ｄが決定される。
この後、上述したように「総回転数入力モード」で、釣人が釣糸３９を総て巻き取って選択入力スイッチ４９を操作すれば、ＣＰＵ３５は、巻糸全長までの総回転数Ｎｅを糸長計算式[3]に取り込んで糸長計算式[1]の定数ｅを決定した後、決定した糸長計算式[1]をＲＡＭ５３に取り込む。
【００２８】
そして、斯様に糸長計算式[1]をＲＡＭ５３に取り込むと、ＣＰＵ３５は自動的に「実釣モード」に移行し、以後、ＣＰＵ３５は、この「実釣モード」に於て、回転検出手段２７で検出する実釣時のスプール１１の実回転数Ｎａから糸長計算式[1]を演算実行して、糸長を表示器４３に表示させることとなる。
また、説明を省略するが、例えば下巻きなしで釣糸３９に８号の単色糸を用いて釣りを行う場合や、下巻きありで釣糸３９に４号のナイロン糸を用いて釣りを行う場合等にも、既述した「糸種選択モード」での手順を踏むことで、規定巻径レベル５９までの糸種別のスプールの回転数（Ｎ）が自動的に糸長計算式[2]に取り込まれて、糸長計算式[1]の定数ｄが決定されることとなる。
【００２９】
このように本実施形態は、リール本体９に設けたパワーレバー１７とリセットスイッチ４５，モード切換えスイッチ４７，選択入力スイッチ４９等の操作手段によって、使用する糸種の選択とスプール１１に釣糸３９を全て巻き取った時の総回転数Ｎｅの入力操作を行うだけで、糸長計測に伴う糸長計算式[1]の基礎データ入力が簡単に行うことができ、引用文献１，２の従来例に比し入力操作が簡素化できることとなった。
【図面の簡単な説明】
【００３０】
【図１】請求項１の一実施形態に係る魚釣用リールの平面図である。
【図２】糸長計測装置の全体構成図である。
【図３】従来のスプール回転数とこのスプールに巻かれた釣糸の糸巻径及び糸長の関係の説明図である。
【図４】モード切換えスイッチの操作によるマイクロコンピュータのモード変化を示す説明図である。
【図５】データ入力時の表示器の表示状態の説明図である。
【図６】データ入力時の表示器の表示状態の説明図である。
【符号の説明】
【００３１】
７  魚釣用リール
９  リール本体
１１  スプール
１３  スプール駆動モータ
１５  ハンドル
１７  パワーレバー
１９  制御ボックス
２１  マイクロコンピュータ
２７  回転検出手段
２９  ホール素子
３５  ＣＰＵ
３９  釣糸
４３  表示器
４５  リセットスイッチ
４７  モード切換えスイッチ
４９  選択入力スイッチ
５１  ＲＯＭ
５３  ＲＡＭ
５９  規定巻径レベル
６１  下巻き表示部
６３  種類表示部
６５  号数表示部
６７  カーソル         
【図１】
2007143475.tif 000002
【図２】
2007143475.tif 000003
【図３】
2007143475.tif 000004
【図４】
2007143475.tif 000005
【図５】
2007143475.tif 000006
【図６】
2007143475.tif 000007